(57)【要約】【課題】部品点数を低減すると共に、操作感が生ずるタイミングとスイッチが実際にオン／オフするタイミングを一致させる。【解決手段】スイッチ装置１００は、操作ノブ１０と、操作ノブを揺動可能に支持する支軸１１と、複数の電極２１が露出して形成され、支軸に略平行な電極形成面２０と、先端３１が導電材から構成され、弾性体により電極形成面側に付勢されて、操作ノブの揺動に伴い先端が電極形成面に当接しながら移動する切替子３０と、を備え、電極形成面２０は、電極形成面と支軸との距離が切替子３０が移動する領域において少なくとも１つの極小値を有するように形成され、切替子３０は、操作ノブ１０の揺動に伴い、複数の電極間を導通または非導通させる。【選択図】図６
2019160555.tif 000002
【特許請求の範囲】
【請求項１】
操作ノブと、
前記操作ノブを揺動可能に支持する支軸と、
複数の電極が露出して形成され、前記支軸に略平行な電極形成面と、
先端が導電材から構成され、弾性体により前記電極形成面側に付勢されて、前記操作ノブの揺動に伴い前記先端が前記電極形成面に当接しながら移動する切替子と、
を備え、
前記電極形成面は、前記電極形成面と前記支軸との距離が前記切替子が移動する領域において少なくとも１つの極小値を有するように形成され、
前記切替子は、前記操作ノブの揺動に伴い、前記複数の電極間を導通または非導通させる、
スイッチ装置。
【請求項２】
前記電極形成面は、前記距離が前記操作ノブの揺動の中立位置から順に両側に第一極小値と第一極大値を有するように形成され、前記第一極小値を有する第一極小位置と前記第一極大値を有する第一極大位置との間で、前記切替子が前記複数の電極中の第一の組を導通または非導通させることを特徴とする請求項１に記載のスイッチ装置。
【請求項３】
前記電極形成面は、前記中立位置に対して前記第一極大値より遠い方に順に第二極小値と第二極大値を有するように形成され、前記第二極小値を有する第二極小位置と前記第二極大値を有する第二極大位置との間で、前記切替子が前記複数の電極中の前記第一の組とは異なる第二の組を導通または非導通させることを特徴とする請求項２に記載のスイッチ装置。
【請求項４】
前記先端は、ローラから構成され、前記切替子は、前記ローラが回転しながら前記電極形成面を移動することを特徴とする請求項１乃至３のいずれかに記載のスイッチ装置。
【発明の詳細な説明】
【技術分野】
【０００１】
本発明は、スイッチ装置に関し、特に揺動する操作ノブを有するスイッチ装置に関する。
【背景技術】
【０００２】
従来から、たとえば車両の窓ガラスの上下操作の制御を行うための揺動する操作ノブを有するスイッチ装置において、部品点数を低減すると共に操作感を与える技術が提案されている。例えば、特許文献１は、部品点数を多くすることなく、操作音を小さくできて、操作フィーリングを向上させることを可能とするスイッチ機構を開示する。このスイッチ装置は、節度子が移動する節度面部において、操作ノブがフルストローク直前位置からフルストローク位置まで操作される際に節度子が移動する部分に、フルストローク直前の第２の斜面よりも傾斜が急になるような円弧状をなす操作力アップ領域を設ける。節度子が操作力アップ領域を移動することに伴い、操作ノブのフルストローク直前位置からフルストロークにかけて次第に大きな操作力が必要となる。このため、フルストロークで操作ノブがストッパに当たる際の衝撃が和らげられるようになり、操作音としては小さくなる。
【０００３】
また、特許文献２は、部品点数を低減することを目的とし、揺動するスイッチノブを有するスイッチ装置を開示する。このスイッチ装置は、Ｖ字形の板ばね導体の導体頂点は中央接点に常に接している。スイッチノブを時計回りに傾動させると、第１係合突起が板ばね導体を下方に押すと共に左方に移動させる。これにより、板ばね導体の第１導体側凸部が保持ケースの第１ケース側凸部を乗り越え、クリック感が得られる。また、板ばね導体の第１当接点が第１接点に当接し、第１接点と中央接点が板ばね導体を介して導通状態となる。板ばね導体がばね部材と導通部材として機能することで部品点数が低減される。
【先行技術文献】
【特許文献】
【０００４】
【特許文献１】特開２００２−０７５１２８号公報
【特許文献２】特開２０１７−１０３１６５号公報
【発明の概要】
【発明が解決しようとする課題】
【０００５】
上述した技術においては、電気的にオン／オフする機構と、オン／オフした時の操作感を使用者に与える機構とが別々に設けられていた。たとえば、特許文献１のスイッチ機構では、操作ノブの下面に筒部とレバー部を設け、筒部の先端が曲面を当接しながら移動することで操作感を、レバー部が電極を移動することでスライダースイッチを形成しオン／オフ機構を構成している。
【０００６】
しかし、かかるスイッチ装置では、スイッチをオン／オフした時に使用者に操作感が伝わるように、操作感が生ずるタイミングをスイッチ装置毎に調整する必要があった。また、操作感が生ずるタイミングとスイッチが実際にオン／オフするタイミングが一致しない場合、使用者が意図しないタイミングで窓ガラスを開閉する場合があるため危険である。
【０００７】
本発明は、かかる事情を鑑みて考案されたものであり、部品点数をさらに低減すると共に、操作感が生ずるタイミングとスイッチが実際にオン／オフするタイミングを一致させたスイッチ装置を提供するものである。
【課題を解決するための手段】
【０００８】
上記課題を解決するために、操作ノブと、操作ノブを揺動可能に支持する支軸と、複数の電極が露出して形成され、支軸にほぼ平行な電極形成面と、先端が導電材から構成され、弾性体により電極形成面側に付勢されて、操作ノブの揺動に伴い先端が前記電極形成面に当接しながら移動する切替子と、を備え、電極形成面は、電極形成面と支軸との距離が切替子が移動する領域において少なくとも１つの極小値を有するように形成され、切替子は、操作ノブの揺動に伴い、複数の電極間を導通または非導通させるスイッチ装置が提供される。
これによれば、操作感を生ずるように形成された面に電極を適宜形成し、操作ノブの傾動に伴い導電性の切替子の先端がその面を当接しながら移動し、電極間を導通／非導通させることで、部品点数をさらに低減すると共に、電気的にオン／オフする機構とオン／オフした時の操作感を使用者に与える機構とを１つの機構とし、操作感が生ずるタイミングとスイッチが実際にオン／オフするタイミングを一致させたスイッチ装置を提供することができる。
【０００９】
さらに、電極形成面は、距離が操作ノブの揺動の中立位置から順に両側に第一極小値と第一極大値を有するように形成され、第一極小値を有する第一極小位置と第一極大値を有する第一極大位置との間で、切替子が複数の電極中の第一の組を導通または非導通させることを特徴としてもよい。
これによれば、第一極小位置と第一極大位置との間で切替子が所定の電極同士を導通または非導通させるように電極を形成することで、操作感が生ずるタイミングとスイッチが実際にオン／オフするタイミングを一致させることができる。
【００１０】
さらに、電極形成面は、中立位置に対して第一極大値より遠い方に順に第二極小値と第二極大値を有するように形成され、第二極小値を有する第二極小位置と第二極大値を有する第二極大位置との間で、切替子が複数の電極中の第一の組とは異なる第二の組を導通または非導通させることを特徴としてもよい。
これによれば、さらに第二極小位置と第二極大位置を設け、これらの間で切替子が異なる所定の電極同士を導通または非導通させるように電極を形成することで、一つの傾動方向の中で異なる制御を提供することができる。
【００１１】
さらに、先端は、ローラから構成され、切替子は、ローラが回転しながら電極形成面を移動することを特徴としてもよい。
これによれば、切替子の先端をローラ機構を有するものとすることで、電極形成面と切替子の間の摩擦を低減し操作し易くすると共に、両者の摩耗を低減することができる。
【発明の効果】
【００１２】
以上説明したように、本発明によれば、部品点数をさらに低減すると共に、電気的にオン／オフする機構とオン／オフした時の操作感を使用者に与える機構とを１つの機構とし、操作感が生ずるタイミングとスイッチが実際にオン／オフするタイミングを一致させたスイッチ装置を提供することができる。
【図面の簡単な説明】
【００１３】
【図１】本発明に係る第一実施例のスイッチ装置の、（Ａ）正面図、（Ｂ）平面図、（Ｃ）底面図、（Ｄ）左側面図、（Ｅ）右側面図。
【図２】本発明に係る第一実施例のスイッチ装置の、（Ａ）左上方から見た斜視図、（Ｂ）右上方から見た斜視図。
【図３】本発明に係る第一実施例のスイッチ装置の、左上方からみた展開斜視図。
【図４】本発明に係る第一実施例のスイッチ装置の操作ノブ付近の、（Ａ）図１（Ｂ）に示すＳ−Ｓ断面における断面図、（Ｂ）電極形成面と支軸の距離を示す模式図。
【図５】本発明に係る第一実施例のスイッチ装置において、（Ａ）操作ノブなどを取り除いた場合の平面図、（Ｂ）（Ａ）の円Ａで示す電極形成面を拡大した部分拡大図、（Ｃ）電極形成面の電極を示す説明図。
【図６】本発明に係る第一実施例のスイッチ装置において、（Ａ）操作ノブなどを取り除いた場合の正面上方から見た斜視図、（Ｂ）（Ａ）の円Ｂで示す電極形成面と切替子の関係を示す説明図（中立位置にある場合）、（Ｃ）（Ａ）の円Ｂで示す電極形成面と切替子の関係を示す説明図（第一極小位置にある場合）、（Ｄ）（Ａ）の円Ｂで示す電極形成面と切替子の関係を示す説明図（第二極小位置にある場合）。
【図７】本発明に係る第一実施例のスイッチ装置において、（Ａ）操作ノブなどを取り除いた場合の右上方から見た斜視図、（Ｂ）（Ａ）の円Ｃで示す電極形成面を示す部分拡大図。
【図８】本発明に係る第一実施例の変形例のスイッチ装置における、（Ａ）切替子の先端の側面図、（Ｂ）切替子の先端が電極形成面を当接しながら移動する様子を示す斜視図。
【発明を実施するための形態】
【００１４】
本発明は、電極を有する面を操作感を与える形状とし、操作感が生ずるタイミングとスイッチがオン／オフするタイミングを一致させたスイッチ装置に係る。以下では、図面を参照しながら、本発明に係る実施例について説明する。
【００１５】
＜第一実施例＞
図１乃至図３を参照し、本実施例におけるスイッチ装置１００を説明する。スイッチ装置１００は、車両のドアの施解錠や開閉、窓ガラスの施解錠や開閉、サイドミラーの駆動などを制御するために、車両のドアの内側に設けられる制御装置に適用された例である。なお、本明細書では、スイッチ装置１００は、車両の窓ガラスの開閉（昇降）を操作するための装置として説明する。スイッチ装置１００は、電子部品が樹脂の内部に埋め込まれ、これら電子部品と表面に露出した電極とが配線により電気的に接続された樹脂成型品である回路構造体５０と、回路構造体５０をカバーし、上部に操作ノブ支持部４１を備えるケース４０と、操作ノブ支持部４１の上に設けられ、使用者が操作する操作ノブ１０と、を備える。
【００１６】
回路構造体５０は、主な形状として平板に近い直方体の形状であって、ＡＢＳ樹脂（アクリロニトリル・ブタジエン・スチレン樹脂）などの樹脂材料によって形成された基体から構成されている。回路構造体５０は、この基体の中に電子部品を埋設すると共に、表面に電子部品の端子を露出させて、その端子と表面に形成した電極を電気的に接続し、回路を形成している。回路構造体５０は、外部の制御機構や駆動機構（たとえば、窓ガラスを上下させる機構）と電気的に接続するためのコネクタ５１を下面に備える。コネクタ５１は、これらの外部機構と埋設電子部品を電気的に接続すると共に、後述するような、操作ノブ１０による電極形成面２０におけるスイッチの切り替えを電気的に外部機構へ伝達する。電子部品は、電極形成面２０におけるスイッチの切り替えによる信号を変換し、コネクタ５１を経由して外部の制御機構などに伝達してもよいし、当該切り替えによる信号を直接外部に伝達してもよい。その場合は、電子部品は存在しなくともよい。
【００１７】
回路構造体５０では、操作ノブ１０にそれぞれ適合する位置の上面に、樹脂が突設して設けられ、その突設した突設部５２の上面に略Ｖ字状の電極形成面２０が形成されている。本実施例では、電極形成面２０は凸状に突設した樹脂の上に形成されているが、これに限定されず、回路構造体５０の上面から凹部を設け、その凹部に略Ｖ字状の電極形成面２０を形成してもよい。回路構造体５０は、公知の立体回路の製造方法（たとえば、特開２０１０−２７２７５６、特開２０１６−１６２９３９など）により製造される。電極形成面２０は、概観では略Ｖ字状をなすが、後述するように実際は複雑な曲面が形成されているが、この製造方法によれば樹脂を形成する金型を使用することにより電極と共に容易に複雑な曲面を形成することができる。
【００１８】
ケース４０は、回路構造体５０を保護するためにその上面全体をカバーすると共に、上部に操作ノブ支持部４１を備える。操作ノブ支持部４１は、ケース４０の上面から方形枠状に立設し、方形枠内は後述する切替子３０が縦方向に貫通するように空洞を形成している。操作ノブ支持部４１は、正面−背面方向の支軸１１を貫通させる穴を有している。なお、電極形成面２０は、ケース４０の側に設けられてもよく、その場合は、回路構造体５０とケース４０とが嵌合する際に電気的に導通するような構造であってもよい。また、ケース４０の裏面に上記製造方法によって電子部品や回路が備えられてもよく、この場合は、回路構造体５０自体が不要となる。
【００１９】
操作ノブ１０は、ケース４０の上面に設けられ、使用者により正面視で左右の方向（時計回り／反時計回り）に揺動するように操作され、操作ノブ支持部４１の穴を貫通して設けられる支軸１１を中心に揺動可能に支持される。図４（Ａ）を参照すると、操作ノブ１０は、支軸１１と一致する揺動支点ＳＰを中心に、円弧状の点線矢印の如く揺動する。操作ノブ１０は、内部に、先端が電極形成面２０に当接する棒状の切替子３０と、切替子３０の内部に収容されるばね３２を備える。切替子３０は、所謂プランジャであり、上部から所定の深さで中空に形成されて、ばね３２を収容する。ばね３２は、一端を切替子３０の中空底部に、他端を操作ノブ１０内部の上面に当接して、両者を押し離すように設けられる。操作ノブ１０は、支軸１１に揺動可能に支持されるので、切替子３０の先端３１は、電極形成面２０に押し付けられるように付勢される。切替子３０の先端３１の電極形成面２０との接触部分は、電極形成面２０に形成された複数の電極に接触するように矩形または線状に形成されている。なお、本実施例では、切替子３０を電極形成面２０に付勢するのはばね３２を用いたが、これに限定されることはなく、弾性のある樹脂など付勢することのできる他の弾性体に適宜置き換えることが可能である。
【００２０】
切替子３０は、支軸１１を中心とした傾動に伴い、同じく支軸１１を中心として傾斜する。図４（Ｂ）に示すように、切替子３０が傾斜するにつれて、支軸１１と一致する揺動支点ＳＰと電極形成面２０までの距離Ｌは変化するが、その距離の変化はばね３２に吸収されるので、切替子３０の先端３１は、電極形成面２０に当接しながら移動する。すなわち、切替子３０は、弾性体であるばね３２により電極形成面２０側に付勢されて、操作ノブ１０の揺動に伴い先端３１が電極形成面２０に当接しながら移動する。切替子３０の先端３１は、導電材から構成されており、先端３１が電極形成面２０に形成された電極を当接しながら移動することで、電極同士を導通させたり、遮断させたりして、スイッチのオン／オフとして機能する。
【００２１】
図４（Ｂ）を参照し、切替子３０が傾斜するにつれて生ずる、揺動支点ＳＰ（支軸１１）と電極形成面２０までの距離Ｌの変化について説明する。なお、電極形成面２０は略Ｖ字状に形成されるが、本図は、操作ノブ１０が時計回りに傾動した場合の切替子３０が移動する領域ＡＲのみ（Ｖ字の片方の斜面のみ）の電極形成面２０を示している。操作ノブ１０が操作されていない時、切替子３０は、点線で示され図視でほぼ垂直方向に位置するように配置され、先端３１は、電極形成面２０の中立位置ＮＰに当接している。
【００２２】
操作ノブ１０が時計回りに傾動すると切替子３０も同様に傾き、切替子３０の先端３１は、電極形成面２０の方へ付勢されているので、Ｖ字の斜面を登るように当接しながら移動する。電極形成面２０は、揺動支点ＳＰからの距離が変化するように形成されているが、先端３１は、ばね３２がその距離の変化を（点線直線矢印のように切替子３０が切替子３０の軸方向に動いて）吸収することで、常に電極形成面２０に当接しながら移動する。
【００２３】
操作ノブ１０が時計回りにわずかに傾動すると、先端３１は、中立位置ＮＰから第一極小位置ＭＩ１に向けて移動する。中立位置ＮＰにおける揺動支点ＳＰと電極形成面２０までの距離をＬとし、第一極小位置ＭＩ１における揺動支点ＳＰと電極形成面２０までの距離を第一極小値ＬＭＩ１とすると、Ｌ＞ＬＭＩ１の関係が成立するように、電極形成面２０は形成されている。また、第一極小位置ＭＩ１を超えると、一旦揺動支点ＳＰと電極形成面２０までの距離が長くなるように形成され、その後またその距離が短くなるように形成されている。その距離が長くなっている状態から距離が短くなる状態に変化する位置を第一極大位置ＭＡ１とし、第一極大位置ＭＡ１における揺動支点ＳＰと電極形成面２０までの距離を第一極大値ＬＭＡ１とすると、ＬＭＡ１＞ＬＭＩ１の関係が成立するように、電極形成面２０は形成されている。
【００２４】
また、第一極大位置ＭＡ１を超えると、一旦揺動支点ＳＰと電極形成面２０までの距離が短くなるように形成され、その後またその距離が長くなるように形成されている。その距離が短くなっている状態から距離が長くなる状態に変化する位置を第二極小位置ＭＩ２とし、第二極小位置ＭＩ２における揺動支点ＳＰと電極形成面２０までの距離を第二極小値ＬＭＩ２とすると、ＬＭＡ１＞ＬＭＩ２の関係が成立するように、電極形成面２０は形成されている。
【００２５】
また、第二極小位置ＭＩ２を超えると、一旦揺動支点ＳＰと電極形成面２０までの距離が長くなるように形成され、その後またその距離が短くなるように形成されている。その距離が長くなっている状態から距離が短くなる状態に変化する位置を第二極大位置ＭＡ２とし、第二極大位置ＭＡ２における揺動支点ＳＰと電極形成面２０までの距離を第二極大値ＬＭＡ２とすると、ＬＭＡ２＞ＬＭＩ２の関係が成立するように、電極形成面２０は形成されている。
【００２６】
このように形成された電極形成面２０を切替子３０の先端３１が当接しながら移動するので、電極形成面２０の距離の変化に伴い切替子３０が受ける反力も変化し、その変化が操作ノブ１０の使用者にも伝達される。操作ノブ１０の使用者が受ける操作感は、中立位置ＮＰから第一極小位置ＭＩ１まで、および第一極大位置ＭＡ１から第二極小位置ＭＩ２までの間では操作荷重を感じ、第一極小位置ＭＩ１および第二極小位置ＭＩ２を超えたときに一気に第一極大位置ＭＡ１および第二極大位置ＭＡ２まで進むので、その操作荷重から一気に解放されたような感触となる。したがって、第一極小位置ＭＩ１および第二極小位置ＭＩ２の前後で大きく操作感が異なることになる。本実施例では、操作ノブ１０の操作感を使用者に与える機構として、上述したような、揺動支点ＳＰからの距離を変化させて、特に極小位置を超えて極大位置に移動するところで操作感に変化を与えることで、操作の達成感を与えることになる。
【００２７】
図５乃至図７を参照し、電極形成面２０の電極２１について説明する。電極形成面２０は、操作ノブ支持部４１の枠部の下方であって、回路構造体５０の上面に、上述した中立位置ＮＰが平面視で支軸１１と一致するように設けられる。電極形成面２０は、支軸１１に概ね平行な平面や曲面の組み合わせから構成され、上述したように、支軸１１からの距離は位置により適宜異なるように形成されている。
【００２８】
電極形成面２０は、複数の電極２１が露出して形成されており、その一つとして、切替子３０が当接して移動する方向における略Ｖ字状のほぼ全域に亘ってグランド（ＧＮＤ）接点が備えられる。また、Ｖ字状の一方の斜面（図５（Ｃ）の平面視上側の面）には、グランド接点の一方側（同平面視右側）に平行して沿うようにマニュアルアップ（ＭａｎｕａｌＵＰ）接点が、その他方側（同平面視左側）に平行し沿うようにオートアップ（ＡｕｔｏＵＰ）接点が設けられる。また、Ｖ字状の他方の斜面（図５（Ｃ）の平面視下側の面）には、グランド接点の一方側（同平面視右側）に平行して沿うようにオートダウン（ＡｕｔｏＤＮ）接点が、その他方側（同平面視左側）に平行し沿うようにマニュアルダウン（ＭａｎｕａｌＤＮ）接点が設けられる。本実施例では、電極形成面２０は、５つの電極が露出されて形成されている。
【００２９】
切替子３０の導電材からなる先端３１は、少なくともこれらの接点を支軸１１方向において跨いで当接するように構成されている。そうすると、先端３１が電極形成面２０を当接して移動すると、それに伴い、それぞれの電極２１を導通させたり遮断したりする。Ｖ字状の一方の斜面（図５（Ｃ）の平面視上側の面）では、図５（Ｃ）および図７（Ｂ）に示すように、マニュアルアップ接点の電極２１が、Ｖ字状の端部から中立位置ＮＰの比較的近くまで形成されおり、オートアップ接点の電極２１が、Ｖ字状の端部からマニュアルアップ接点の電極２１より短く形成されている。本構成では、中立位置ＮＰからマニュアルアップ接点の電極２１までの間では、先端３１は、グランド接点のみしか当接しないので、電極２１の間で導通することはない。
【００３０】
一方、マニュアルアップ接点の電極２１が形成されているが、オートアップ接点の電極２１が形成されていない領域では、先端３１は、グランド接点とマニュアルアップ接点の電極２１の両方（電極の第一の組ＥＳ１）に当接するので、マニュアルアップ接点の電極２１とグランド接点とを導通させて、スイッチングが行われる。さらに、オートアップ接点の電極２１が形成されている領域では、先端３１は、グランド接点、マニュアルアップ接点の電極２１、およびオートアップ接点の電極２１のすべて（電極の第二の組ＥＳ２）に当接するので、これらのすべての電極２１を導通させて、スイッチングが行われる。Ｖ字状の他方の斜面（図５（Ｃ）の平面視下側の面）では、同様に、グランド接点、マニュアルダウン接点の電極２１、オートダウン接点の電極２１の間でスイッチングが行われる。
【００３１】
上述もしたが、図６（Ｂ）〜（Ｄ）に示すように、切替子３０の先端３１は、操作ノブ１０の傾動に従い電極形成面２０を当接しながら移動するが、その移動する領域において、電極形成面２０は、中立位置ＮＰを中心して、両側に順に、第一極小位置ＭＩ１、第一極大位置ＭＡ１、第二極小位置ＭＩ２、第二極大位置ＭＡ２を有している。すなわち、図７（Ｂ）に示すように、中立位置ＮＰから第一極小位置ＭＩ１までの間には、グランド接点のみが設けられている。また、第一極小位置ＭＩ１から第一極大位置ＭＡ１を経由して第二極小位置ＭＩ２までの間は、グランド接点とマニュアルアップ／ダウン接点の電極２１が設けられている。また、第二極小位置ＭＩ２から第二極大位置ＭＡ２を経由して略Ｖ字状の端部までの間は、グランド接点、マニュアルアップ／ダウン接点の電極２１、およびオートアップ／ダウン接点の電極２１が設けられている。
【００３２】
このように第一極小位置ＭＩ１と第二極小位置ＭＩ２を超えるところで異なる電極の組を導通／非導通させるように電極形成面２０の電極２１を構成することで、上述した操作感に変化を与える位置とスイッチングを行う位置が一致することになる。すなわち、スイッチ装置１００においては、電極形成面２０は、電極形成面２０と支軸１１との距離が切替子３０が移動する領域において少なくとも１つの極小値を有するように形成され、切替子３０は、操作ノブ１０の揺動に伴い、複数の電極間を導通または非導通させスイッチングを行う。このように、操作感を生ずるように形成された面に電極２１を適宜形成し、操作ノブ１０の揺動に伴い導電性の切替子３０の先端３１がその面を当接しながら移動し、電極２１間を導通／非導通させることで、電気的にオン／オフする機構とオン／オフした時の操作感を使用者に与える機構とを１つの機構とし、部品点数をさらに低減すると共に、操作感が生ずるタイミングとスイッチが実際にオン／オフするタイミングを一致させることができる。
【００３３】
本実施例におけるスイッチ装置１００においては、電極形成面２０は、支軸１１からの距離が操作ノブ１０の揺動の中立位置ＮＰから順に両側に第一極小値ＬＭＩ１と第一極大値ＬＭＡ１を有するように形成され、第一極小値ＬＭＩ１を有する第一極小位置ＭＩ１から、またはわずかに第一極小位置ＭＩ１から第一極大位置ＭＡ１に寄った辺りから端部まで、マニュアルアップ／ダウン接点の電極２１が形成されている。しかし、これに限定されず、電極形成面２０は、第一極小値ＬＭＩ１を有する第一極小位置ＭＩ１と第一極大値ＬＭＡ１を有する第一極大位置ＭＡ１との間のいずれかの位置から端部まで、マニュアルアップ／ダウン接点の電極２１が形成されていてもよい。これにより、この間で切替子３０が複数の電極中グランド接点とマニュアルアップ接点の電極２１の第一の組ＥＳ１を導通または非導通させる。マニュアルアップ／ダウン接点の電極２１が第一極小位置ＭＩ１と第一極大位置ＭＡ１との間でどの位置から形成されるかは、支軸１１からの距離の変化率やばね３２の弾性力などに基づいて、操作感が生ずるタイミングとスイッチがオン／オフするタイミングを一致させるように適宜定められる。このように、第一極小位置ＭＩ１と第一極大位置ＭＡ１との間で切替子３０が所定の電極２１同士を導通または非導通させるように電極を形成することで、操作感が生ずるタイミングとスイッチが実際にオン／オフするタイミングを一致させることができる。
【００３４】
また、本実施例の電極形成面２０は、さらに、中立位置ＮＰに対して第一極大値ＬＭＡ１より遠い方（Ｖ字状の外側）に順に第二極小値ＬＭＩ２と第二極大値ＬＭＡ２を有するように形成される。そして、電極形成面２０は、第二極小値ＬＭＩ２を有する第二極小位置ＭＩ２と第二極大値ＬＭＡ２を有する第二極大位置ＭＡ２との間で、グランド接点、マニュアルアップ／ダウン接点の電極２１、およびオートアップ／ダウン接点の電極２１のすべて（第一の組ＥＳ１とは異なる第二の組ＥＳ２）に先端３１が当接するように構成されている。このように、さらに第二極小位置ＭＩ２と第二極大位置ＭＡ２を設け、これらの間で切替子３０が異なる所定の電極２１同士を導通または非導通させるように電極を形成することで、一つの揺動方向の中で異なる制御を提供することができる。
【００３５】
＜第一実施例の変形例＞
図８（Ａ）に示すように、切替子３０Ａの先端３１Ａは、導電性のローラから構成されてもよい。切替子３０Ａは、円筒状の先端３１Ａの側面を半周以上取り囲むように凹状に形成され、先端３１Ａは、その凹状部分に回転自在に嵌合され、保持される。また、本図（Ｂ）に示すように、ローラ状の先端３１Ａは、自身が回転しながら電極形成面２０を移動する。先端３１Ａは、電極形成面２０に形成された複数の電極２１を円筒側面の母線で線状に当接しながら移動することで、電極形成面２０におけるスイッチの切り替えを行う。先端がローラでない場合は、先端３１と電極形成面２０の間にはグリスなどの潤滑剤が施されるが、先端３１Ａをローラとすることで、電極形成面２０と切替子３０の間の摩擦を低減し操作し易くすると共に、両者の摩耗を低減することができる。
【００３６】
なお、本発明は、例示した実施例に限定するものではなく、特許請求の範囲の各項に記載された内容から逸脱しない範囲の構成による実施が可能である。すなわち、本発明は、主に特定の実施形態に関して特に図示され、かつ説明されているが、本発明の技術的思想および目的の範囲から逸脱することなく、以上述べた実施形態に対し、数量、その他の詳細な構成において、当業者が様々な変形を加えることができるものである。
【符号の説明】
【００３７】
１００    スイッチ装置
１０      操作ノブ
１１      支軸
２０      電極形成面
２１      電極
３０      切替子
３１      先端
３２      ばね（弾性体）
４０      ケース
４１      操作ノブ支持部
５０      回路構造体
５１      コネクタ
５２      突設部
ＳＰ      揺動支点
ＮＰ      中立位置
ＭＩ１    第一極小位置
ＭＡ１    第一極大位置
ＭＩ２    第二極小位置
ＭＡ２    第二極大位置
ＥＳ１    電極の第一組
ＥＳ２    電極の第二組
ＡＲ      切替子が移動する領域
Ｌ        電極形成面と支軸との距離
ＬＭＩ１  第一極小値
ＬＭＡ１  第一極大値
ＬＭＩ２  第二極小値
ＬＭＡ２  第二極大値
【図１】
2019160555.tif 000003
【図２】
2019160555.tif 000004
【図３】
2019160555.tif 000005
【図４】
2019160555.tif 000006
【図５】
2019160555.tif 000007
【図６】
2019160555.tif 000008
【図７】
2019160555.tif 000009
【図８】
2019160555.tif 000010